(57)【特許請求の範囲】
【請求項１】
複数の鍵と、
前記複数の鍵を揺動可能に支持する鍵フレームと、
前記鍵の下部で前記鍵フレームに揺動可能に設けられ該鍵の押鍵操作に連動して揺動するハンマー構造体と、
前記ハンマー構造体の揺動上端と揺動下端をそれぞれ規制する鍵並び方向に長手の上部ストッパ体及び下部ストッパ体と、
を備えた鍵盤装置であって、
前記鍵フレームの後方下端部は後方上端部よりも後ろ側に位置し、
前記上部ストッパ体は前記鍵フレームの前記後方上端部に取り付けられるとともに前記下部ストッパ体は前記鍵フレームの前記後方下端部に取り付けられ、
前記上部ストッパ体は前記下部ストッパ体よりも鍵前方側に配置され、
前記鍵フレームの前記後方下端部にて前記下部ストッパ体より内側の部位に、当該鍵フレームを楽器本体部に固定するための上下に貫通するネジ孔が形成され、該ネジ孔は隣接する両ハンマー構造体の間に形成されていることを特徴とする鍵盤装置。
【発明の詳細な説明】
【技術分野】
【０００１】
本発明は、鍵の下部に揺動可能に設けられハンマー構造体を備えた鍵盤装置に関する。
【背景技術】
【０００２】
従来、この種の鍵盤装置として、例えば特開２００３−４２２０６号公報（特許文献１）に開示されたものがある。この従来の鍵盤装置は、鍵をその後端部の支持部で鍵盤フレームに支持するとともに鍵下にハンマー構造体としての質量体を配設し、Ｓ字状バネにより鍵及び質量体を保持するようにしている。そして、鍵に形成した垂下片により質量体を駆動するように構成されている。また、Ｖバネにより鍵を揺動自在に保持する構造も開示されている。このようなハンマー構造体を備えていると、質量体５０の後端部の当接部５４が鍵盤装置の後端近傍まで位置し、その位置にストッパ部材１０４を配置する必要がある。そして、この特許文献１のものではストッパ部材１０４の後方にネジ止め用のネジ孔を形成するようにしているが、このようにすると鍵盤フレームの後端部も長くなり鍵盤装置としての前後幅が大きくなるという問題がある。
【０００３】
このため、例えば特開平８−３１４４３８号公報（特許文献２）のように、棚板２に鍵盤フレーム１を取り付ける構造として、下限ストッパ１１の内側でボルト・ナット３により取り付け固定するようにすれば、ボルト・ナット３の分だけでも鍵盤フレーム１の前後のサイズを小さくできる。
【特許文献１】特開２００３−４２２０６号公報
【特許文献２】特開平８−３１４４３８号公報
【発明の開示】
【発明が解決しようとする課題】
【０００４】
特許文献２の鍵盤装置では、ボルト・ナット３により、棚板２の下からネジ止めする構成になっているため、組立時に鍵盤装置全体を裏返しにする必要があり、組立作業が煩雑になるという問題がある。また、鍵盤フレームは棚板より小さいので、棚板の裏側から取り付け作業を行う場合、鍵盤フレームの位置だしも困難である。
【０００５】
本発明は、ハンマー構造体によりハンマーアクションのタッチ感が得られ、コンパクトで組立が容易な鍵盤装置を提供することを課題とする。
【課題を解決するための手段】
【０００６】
請求項１の鍵盤装置は、複数の鍵と、ハンマー構造体と、上部ストッパ体及び下部ストッパ体を鍵フレームに設けた鍵盤装置であって、鍵フレームの後方下端部は後方上端部よりも後ろ側に位置し、上部ストッパ体を鍵フレームの後方上端部に取り付けるとともに下部ストッパ体を鍵フレームの後方下端部に取り付け、鍵フレームの後方下端部にて下部ストッパ体より内側の部位に、当該鍵フレームを楽器本体部に固定するための上下に貫通するネジ孔を形成するとともに、該ネジ孔を隣接する両ハンマー構造体の間に形成するようにした。
【０００７】
請求項１の鍵盤装置によれば、ネジ孔が下部ストッパ体より内側の部位に形成されている分だけ鍵フレームの前後幅がコンパクトになる。さらに、鍵フレームを楽器本体部に固定するときネジ孔に上から（上部ストッパ体側から）、かつ両ハンマー構造体の間を介してネジ止めすることができるので、組立作業が容易になる。また、鍵フレームの上からネジ止めするとき上部ストッパ体が邪魔にならず、さらに組立作業が容易になる。また、上部ストッパ体と下部ストッパ体とが鍵フレームの前後位置においてずれているので、鍵フレームの該上部ストッパ体と下部ストッパ体をそれぞれ取り付ける２箇所の部位が、互いに他方のアンダーカット部とならないので、鍵フレームを樹脂成形する場合にスライド金型が必要ない。
【発明の効果】
【００１０】
請求項１の鍵盤装置によれば、鍵フレームの前後幅すなわち鍵盤装置自体の前後幅がコンパクトになるとともに、鍵フレームの上からネジ止めするとき上部ストッパ体が邪魔にならず、かつ両ハンマー構造体の間を介してネジ止めすることができるので、鍵フレームを楽器本体部に固定する際の組立作業が容易になる。
【００１１】
また、組立作業が容易になるとともに、鍵フレームを樹脂成形する場合にスライド金型を必要とせず、コストを低減できる。
【発明を実施するための最良の形態】
【００１２】
以下、図面を参照して本発明の実施の形態について説明する。図１は実施形態の鍵盤装置の要部側断面図、図２は同鍵盤装置における白鍵用の鍵ユニットの平面図及び側断面図、図３は白鍵用の鍵ユニットの分解平面図、図４は同鍵盤装置を備えた電子楽器の側断面図である。なお、図１乃至図５において図面の左側が演奏者側、図１及び図４の図面に直角な方向が鍵並び方向である。以下、この電子楽器及び鍵盤装置において、演奏時の演奏者側を「前」その反対側を「後」とする。また、以下の説明及び図面において、音高（音名）を区別するときの符号は数字の後にハイフンと音名に対応する大文字のアルファベットを付記して説明する。また、「白鍵」及び「黒鍵」を単に「鍵」ともいう。
【００１３】
この電子楽器は下ケース１０Ｄと上ケース１０Ｕで本体ケースが構成され、下ケース１０Ｄに対して鍵盤装置１００の鍵フレーム１１０がネジＮ１，Ｎ２，Ｎ３により固定されている。なお、ネジＮ１，Ｎ２，Ｎ３による固定部位はそれぞれ鍵並び方向に複数箇所ある。下ケース１０Ｄは「楽器本体部」に相当する。鍵盤装置１００は後述のように鍵フレーム１１０により鍵１１，２１を支持しており、上ケース１０Ｕは鍵盤装置１００の鍵１１，２１の後部を覆うように形成されている。また、上ケース１０Ｕのさらに後方内部には、ボス１０ａ等によりメイン回路基板２０が取り付けられている。
【００１４】
図３に示すように、白鍵用の鍵ユニット１は、各鍵１１，１１，…と、各鍵１１，１１，…の後端部に一体に連結された薄肉部１２，１２，…と、この薄肉部１２，１２，…の後端部を鍵ユニット毎に鍵の並び方向に連結する共通固定部１３とを有しており、これらの鍵１１、薄肉部１２及び共通固定部１３を白色の合成樹脂で一体成形したものである。図３(A) に示すように第１の鍵ユニット１は４個の白鍵１１（Ｃ鍵、Ｅ鍵、Ｇ鍵およびＢ鍵）を一体にし、図３(B) に示すように第２の鍵ユニット１は３個の白鍵１１（Ｄ鍵、Ｆ鍵およびＡ鍵）を一体にしたものである。
【００１５】
また、図２(A) に二点鎖線で示すように、黒鍵用の鍵ユニット２も白鍵用と同様に、鍵２１，２１，…と、その後端部に一体に連結された薄肉部２２，２２，…と、この薄肉部２２，２２，…の後端部を鍵並び方向に連結する共通固定部２３（図１参照）とを有しており、これらの鍵２１、薄肉部２２及び共通固定部２３を黒色の合成樹脂で一体成形したものである。なお、鍵ユニット２は５個の黒鍵２１（Ｃ♯鍵、Ｄ♯鍵、Ｆ♯鍵、Ｇ♯鍵およびＡ♯鍵）を一体にしたものである。そして、白鍵用の鍵ユニット１，１と黒鍵用の鍵ユニット２を鍵１１，２１の配置どおりに組み合わせて一体とし、１オクターブの鍵からなる鍵盤ユニットが構成される。さらに、この鍵盤ユニットを必要なオクターブ数だけ組み付けて鍵盤装置が構成される。
【００１６】
図３に示すように、鍵１１は、演奏者側の幅広部１１ａと、この幅広部１１ａから後端部側に形成された幅狭部１１ｂとで構成されており、鍵盤ユニットを構成したときに、隣接する幅狭部１１ｂ，１１ｂの間に黒鍵２１が配置される。鍵１１の幅広部１１ａの裏面には、幅狭部１１ｂに隣接して鍵下に延びる作用部１４が形成されている。また、黒鍵２１の先端の裏面には鍵下に延びる作用部２４が形成されている。なお、作用部１４，２４は片部材により構成されているが、柱状部材で構成してもよい。
【００１７】
図１に示すように、鍵盤装置１００において、鍵フレーム１１０の後方上端には、全鍵に対応して鍵並び方向に長尺となる鍵固定台１２０が形成されており、鍵固定台１２０に、第１及び第２の白鍵用の鍵ユニット１，１の共通固定部１３，１３、及び黒鍵用の鍵ユニット２の共通固定部２３が組み付けられている。これにより、各鍵１１，２１は、薄肉部１２，２２の弾性により揺動可能に支持され、薄肉部１２，２２はヒンジ部の役目をしている。
【００１８】
鍵１１，２１の下方には、ハンマー構造体３が鍵フレーム１１０により支持されている。このハンマー構造体３は、前後方向に延びる質量棒３１と該質量棒３１の端部を保持する作動部３２とで構成され、作動部３２の軸３２ａを支点として鍵フレーム１１０に軸支されている。また、作動部３２の先端には上下に二股に分かれた連結片３２ｂが形成されており、鍵１１の作用部１４の下端に形成された連結板１４ａが連結片３２ｂに連結されている。そして、押鍵時に作用部１４が作動部３２を押し下げ、ハンマー構造体３は軸３２ａを回動中心として図において反時計回りに回動する。また、離鍵時には、質量棒３１の自重により図において時計回りに回動し、鍵１１の薄肉部１２の弾性力と協同して、鍵１１が復帰する。なお、鍵フレーム１１０には、後方下端部と後方上端部とにフェルト等のストッパＳＤ，ＳＵが取り付けられており、このストッパＳＤ，ＳＵによりハンマー構造体３の回動範囲が規制される。すなわち、ストッパＳＤは「下部ストッパ体」に、ストッパＳＵは「上部ストッパ体」に相当する。ストッパＳＤ，ＳＵは全鍵に対応して鍵並び方向に長手の部材とされ、質量棒３１がストッパＳＵに当接して揺動上端が規制され、質量棒３１がストッパＳＤに当接して揺動下端が規制される。
【００１９】
鍵盤装置１００の鍵１１の下方には、スイッチ基板３０が鍵フレーム１１０により支持され、該スイッチ基板３０上にはドーム型のゴムで形成された鍵スイッチ４が固定されている。この鍵スイッチ４は鍵１１の下面に形成されたスイッチ駆動部１５（図３参照）によりオン／オフする押鍵スイッチを構成している。スイッチ基板３０には鍵スイッチ４の信号等を出力するフラットケーブル４０が接続されている。
【００２０】
また、鍵フレーム１１０において、鍵固定台１２０とスイッチ基板３０との間にはスリット１３０が形成され、鍵固定台１２０の後端部にはスリット１４０が形成されている。このスリット１４０の後端部には矩形筒状の保持具１５０が取り付けられている。スリット１３０，１４０と保持具１５０の鍵並び方向の幅は例えば数センチ程度である。そして、フラットケーブル４０はスリット１３０，１４０を通って保持具１５０の下から該保持具１５０の内部を通り、該保持具１５０の上端から、楽器後方のメイン回路基板２０（図３参照）まで配線されている。これにより、スイッチ基板３０とメイン回路基板２０との接続用の配線が一箇所に纏められ、組立作業等がきわめて容易になる。
【００２１】
また、保持具１５０はストッパＳＵから上ケース１０Ｕ側に立ち上がる形状となっており、フラットケーブル４０は保持具１５０の上端から水平後方に延びるようになっている。したがって、ストッパＳＵの後方側にスペースを確保することができる。すなわち、フラットケーブル４０でハンマー構造体３との干渉を防止できる。これにより、ハンマー構造体３の質量棒３１の端部のボリュームを大きくして、ハンマー構造体３の質量感を容易に得ることができる。仮に上記スペースが少ないと、鍵盤装置全体の高さを大きくして質量感を得る必要があるが、上記実施例ではこのようなことがない。
【００２２】
また、鍵ユニット１及び２は、合成樹脂で一体成形して共通固定部１３，２３と鍵１１，２１とを薄肉部１２，２２にて連結し、該鍵１１，２１を該薄肉部１２，２２の弾性により共通固定部１３，２３に対して揺動可能にしている。また、ハンマー構造体３は、鍵１１，２１の下部に揺動可能に設けられ、鍵１１，２１の押鍵操作に連動して揺動する。そして、黒鍵用の鍵ユニット２は作用部２４が鍵２１の先端下面に形成され、白鍵用の鍵ユニット１は作用部１４を鍵１１の少なくとも幅広部１１ａの下面で黒鍵２１の先端部に隣接した位置に形成されている。
【００２３】
したがって、黒鍵２１の作用部２４と白鍵１１の作用部１４とを共通固定部１３，２３から略等距離にでき、かつ、できるだけ鍵１１，２１の先端側に作用部１４，２４を配置できる。したがって、黒鍵用と白鍵用のハンマー構造体３を略同一な構造にでき、かつ、作用部１４，２４が薄肉部１２，２２から離れている分だけ、薄肉部１２，２２へのハンマー構造体３からの反力の影響が低減されるので、タッチ感が損なわれない。また、白鍵１１の作用部１４が幅広部１１ａにあるので、幅広部１１ａと幅狭部１１ｂとの境界の角部は作用部１４よりも共通固定部１３側にある。したがって、押鍵した時の指の力が幅広部１１ａにおいて作用部１４に直接伝達し、角部に加わる力は白鍵１１の奥行き方向の引っ張り力が中心となり、角部に応力が集中しにくくなって耐久性が得られる。
【００２４】
また、鍵ユニット１は、複数の鍵１１，１１，…を共通固定部１３を共通にして一体に形成したものであり、また、鍵ユニット２は、複数の鍵２１，２１，…を共通固定部２３を共通にして一体に形成したものである。したがって、複数鍵を一体に形成してコストを低減できる。
【００２５】
ハンマー構造体３は、質量棒３１の自重により、鍵１１，２１の作用部１４，２４に対して押鍵力と反対方向に付勢力を付与するので、鍵ユニット１，２の薄肉部１２，２２の弾性力に加えてハンマー構造体３の自重により鍵１１，２１を復帰できる。したがって、復帰用のバネ等を必要としない。
【００２６】
図２(A) に示したように、白鍵１１及び黒鍵２１の裏面に形成された作用部１４，２４，１４，２４，…は、鍵並び方向の間隔が略等間隔になっている。なお、隣接するＢ鍵とＣ鍵、隣接するＥ鍵とＦ鍵とについては、両作用部１４-Bと１４-C、１４-Eと１４-Fの間隔は他の部分より僅かに広くなっている。これは、この実施例ではＣ鍵とＥ鍵において、作用部１４-Cが鍵１１の幅広部１１ａにおいて鍵の中心側に僅かに変移した位置に形成されているからである。なお、Ｂ鍵とＦ鍵において同様に１４-Bを幅広部１１ａにおいて鍵の中心側に僅かに変移させてもよいし、Ｂ鍵とＣ鍵の両方、Ｅ鍵とＦ鍵の両方において、それぞれの作用部１４-Bと１４-C、１４-Eと１４-Fを幅広部１１において鍵の中心側に僅かに変移させてもよい。
【００２７】
図５は鍵ユニットを取り外した鍵フレーム１１０とハンマー構造体３を示す平面図である。各ハンマー構造体３，３，…は略等間隔に配置されているが、隣接するＢ鍵とＣ鍵に対応するハンマー構造体３-B，３-C、隣接するＥ鍵とＦ鍵に対応するハンマー構造体３-E，３-Fについては、その間隔が他の部分よりも僅かに広くなっている。そして、このハンマー構造体３-Bと３-C、３-Eと３-Fの間には、鍵盤装置の前後方向に延びる鉛直のリブ１６０が形成されている。
【００２８】
以上のように、Ｂ鍵とＣ鍵の間及びＥ鍵とＦ鍵の間には黒鍵２１がなく、さらに前記のように作用部１４-B，１４-C，１４-E，１４-Fの位置にある程度自由度があるので、作用部１４-B，１４-Cとハンマー構造体３-B，３-C、作用部１４-E，１４-Fとハンマー構造体３-E，３-Fにおける間隔を広げるように構成し、リブ１６０を配置することができる。このリブ１６０は鍵フレーム１１０を堅牢にするものであるが、このようにリブ１６０をＢ鍵とＣ鍵の間及びＥ鍵とＦ鍵の間に配置すると、リブの数の多すぎず、軽量化を図ることができる。
【００２９】
また、ハンマー構造体３は、白鍵用と黒鍵用とで僅かに形状が異なっているが、これは、白鍵と黒鍵とでハンマーアクションに微妙に変化を付けているためである。しかし、上記リブ１６０の両側のハンマー構造体３-B，３-C、及びハンマー構造体３-E，３-Fはそれぞれ同構造になっている。したがって、これらのハンマー構造体はリブ１６０の両側では同じ動作となるので、リブ１６０とハンマー構造体３-B，３-C、及びハンマー構造体３-E，３-Fとの干渉を避けるように設計するのが容易になる。
【００３０】
ここで、鍵フレーム１１０の後端部を固定するためのネジＮ３を通すネジ孔１７０はストッパ（下部ストッパ体）ＳＤの内側（演奏者側）に形成されている。すなわち、ストッパ（上部ストッパ体）ＳＵ及びストッパ（下部ストッパ体）ＳＤは鍵フレーム１１０の鍵後方側に取り付けられ、鍵フレーム１１０のストッパＳＤより内側の部位に、鍵フレーム１１０を下ケース１０Ｄ（楽器本体部）に固定するための上下に貫通するネジ孔１７０が形成されている。したがって、このようなネジ孔をストッパＳＤの外側に形成するよりも鍵フレーム１１０の前後方向の幅を小さくできる。また、ネジ孔１７０はハンマー構造体３，３の間に形成されている。すなわち、ネジ孔１７０は隣接する両ハンマー構造体３，３の間に形成されている。したがって、鍵フレーム１１０を下ケース１０Ｄに対して上からネジ止めする場合にドライバー等がハンマー構造体３と干渉することなく、組立作業が容易になる。このように、上からネジ止めすると鍵盤装置１００を裏返すことなく取り付けられるので作業が容易になる。なお、このネジ孔１７０の部分で上からネジ止めした後は、それだけでも例えばネジＮ１，Ｎ２に対応するネジ孔の位置出しが完了するので、後は鍵盤装置１００を裏返してネジＮ１，Ｎ２により下からネジ止めしても作業性は損なわれない。
【００３１】
また、上部ストッパ体であるストッパＳＵは下部ストッパ体であるストッパＳＤよりも鍵前方側に配置されている。したがって、鍵フレーム１１０の上からネジ止めするときストッパＳＵが邪魔にならず、さらに組立作業が容易になる。また、ストッパＳＵとストッパＳＤとが鍵フレーム１１０の前後位置においてずれているので、鍵フレーム１１０の上部の取付け部１１０Ｕと下部の取付け部１１０Ｄが、互いに他方のアンダーカット部とならないので、鍵フレーム１１０を樹脂成形する場合にスライド金型が必要ない。
【図面の簡単な説明】
【００３２】
【図１】本発明の実施形態における鍵盤装置の要部側断面図である。
【図２】同鍵盤装置における白鍵用の鍵ユニットの平面図及び側断面図である。
【図３】同白鍵用の鍵ユニットの分解平面図である。
【図４】実施形態の鍵盤装置を備えた電子楽器の側断面図である。
【図５】同鍵盤装置における鍵フレームとハンマー構造体の平面図である。
【符号の説明】
【００３３】
３…ハンマー構造体、１１…白鍵、２１…黒鍵、１１０…鍵フレーム、ＳＵ…ストッパ（上部ストッパ体）、ＳＤ…ストッパ（下部ストッパ体）、１０Ｄ…下ケース（楽器本体部）、１７０…ネジ孔
【図１】
0004544074.tif 000002
【図２】
0004544074.tif 000003
【図３】
0004544074.tif 000004
【図４】
0004544074.tif 000005
【図５】
0004544074.tif 000006